(57)【要約】【課題】簡単な構造により、クリッピング後の操作ワイヤとクリップとの連結状態を極めて簡単な操作で解除することができる内視鏡用クリップ装置を提供すること。【解決手段】先端が筒状に開口した形状に形成されたシース１の先端部分内に嵌め込まれた状態のクリップ１０を、その後端面に当接する状態に配置された操作ワイヤ２でシース１の先端から前方に押し出すことにより、クリップ１０が自己の弾性により元の単体の形状に戻ろうとする過程において、嘴状開閉部１１が先ず一旦開いた後に閉じるようにした。【選択図】      図１
2004321343.tif 000002
【特許請求の範囲】
【請求項１】
先端が筒状に開口した形状に形成されたシースと、
嘴状に開閉する先寄りの嘴状開閉部と上記嘴状開閉部の一対の嘴片どうしを連結する後寄りの連結部とがバネ性のある材料により一つながりに、無負荷の単体状態では上記嘴状開閉部が閉じきった状態よりさらに開方向と反対方向に行き過ぎた形状になるように形成されて、上記嘴状開閉部を窄んだ状態に弾性変形させることにより上記シースの先端部分内に出し入れ自在なクリップと、
上記シースの先端部分内に嵌め込まれた状態の上記クリップを上記シースの手元側からの操作によって上記シースの先端から前方に押し出すことができるように、先端面が上記クリップの後端面に当接する状態で上記シース内に軸線方向に進退自在に挿通配置された操作ワイヤとを有し、
上記シースの先端部分内に嵌め込まれた状態の上記クリップを上記操作ワイヤで上記シースの先端から前方に押し出すことにより、上記クリップが自己の弾性により元の単体の形状に戻ろうとする過程において、上記嘴状開閉部が先ず一旦開いた後に閉じるようにしたことを特徴とする内視鏡用クリップ装置。
【請求項２】
上記クリップの連結部が、上記一対の嘴片に連なって外方に山形に突出する一対の山形折れ曲がり部と、その一対の山形折れ曲がり部を後端において一つながりに連結する円弧状連結部とからなる請求項１記載の内視鏡用クリップ装置。
【請求項３】
上記円弧状連結部は上記シースの先端部分内に緩く納まる大きさに形成され、上記山形折れ曲がり部は上記シースの先端部分内に収容する際には窄める必要のある大きさに形成されている請求項２記載の内視鏡用クリップ装置。
【発明の詳細な説明】
【０００１】
【発明の属する技術分野】
この発明は、内視鏡の処置具挿通チャンネルに通して使用されて、体内の止血、結紮、或いはマーキング等を行うために用いられる内視鏡用クリップ装置に関する。
【０００２】
【従来の技術】
内視鏡用クリップ装置においては一般に、バネ性のある材料によって嘴状に開閉する形状に形成されたクリップが可撓性シースの先端部分内に装着されて、可撓性シース内に挿通配置された操作ワイヤの先端がクリップの後端に連結されている。
【０００３】
そして、クリップを閉じさせてその閉じ状態を維持するためのリング状部材が、クリップに対して後方から被嵌されるように可撓性シースの先端面に当接する状態に配置されていて、操作ワイヤを後方から牽引する（又は、可撓性シースを後方から押し込む）ことにより、クリップが後側からリング状部材内に引き込まれて閉じた状態を保持するようになっている（例えば、特許文献１）。
【０００４】
【特許文献１】
実公平４−２６０９１号公報
【０００５】
【発明が解決しようとする課題】
上述のような内視鏡用クリップ装置においては、クリップで患部をクリッピングした後、操作ワイヤの先端とクリップとの連結を解く必要がある。
【０００６】
そこで従来は、連結部をある程度脆い構造にして、操作ワイヤを強く牽引することにより連結部が破壊されるようにするか、クリッピング後に操作ワイヤを押し込んで連結部がシースの先端から飛び出した状態にして、シースの先端を揺することによりそのはずみで連結状態が外れるようにしていた。
【０００７】
しかし、操作ワイヤを強く牽引することにより連結部を破壊する構造では、破壊力を軽く設定するとクリッピングがまだ不完全な状態のうちに連結部が破壊されてしまう場合があるので、確実にクリッピングが行われるようにするためには操作に大きな力を必要とする欠点がある。
【０００８】
また、シースの先端を揺することによりそのはずみで連結状態が外れるようにした構造では、連結状態が外れるのにある程度の偶然性を伴うので操作に時間がかかり、連結状態の解除操作に長時間を要してしまう場合がある。
【０００９】
そこで本発明は、簡単な構造により、クリッピング後の操作ワイヤとクリップとの連結状態を極めて簡単な操作で解除することができる内視鏡用クリップ装置を提供することを目的とする。
【００１０】
【課題を解決するための手段】
上記の目的を達成するため、本発明の内視鏡用クリップ装置は、先端が筒状に開口した形状に形成されたシースと、嘴状に開閉する先寄りの嘴状開閉部と嘴状開閉部の一対の嘴片どうしを連結する後寄りの連結部とがバネ性のある材料により一つながりに、無負荷の単体状態では嘴状開閉部が閉じきった状態よりさらに開方向と反対方向に行き過ぎた形状になるように形成されて、嘴状開閉部を窄んだ状態に弾性変形させることによりシースの先端部分内に出し入れ自在なクリップと、シースの先端部分内に嵌め込まれた状態のクリップをシースの手元側からの操作によってシースの先端から前方に押し出すことができるように、先端面がクリップの後端面に当接する状態でシース内に軸線方向に進退自在に挿通配置された操作ワイヤとを有し、シースの先端部分内に嵌め込まれた状態のクリップを操作ワイヤでシースの先端から前方に押し出すことにより、クリップが自己の弾性により元の単体の形状に戻ろうとする過程において、嘴状開閉部が先ず一旦開いた後に閉じるようにしたものである。
【００１１】
なお、クリップの連結部が、一対の嘴片に連なって外方に山形に突出する一対の山形折れ曲がり部と、その一対の山形折れ曲がり部を後端において一つながりに連結する円弧状連結部とからなっていてもよい。
【００１２】
その場合、円弧状連結部はシースの先端部分内に緩く納まる大きさに形成され、山形折れ曲がり部はシースの先端部分内に収容する際には窄める必要のある大きさに形成されているとよい。
【００１３】
【発明の実施の形態】
図面を参照して本発明の実施例を説明する。
図１は内視鏡用クリップ装置の先端部分を示しており、１は、内視鏡の処置具挿通チャンネルに挿脱される例えば四フッ化エチレン樹脂チューブ等からなる可撓性シースである。
【００１４】
可撓性シース１の先端は筒状に開口しており、この実施例においては基端から先端まで全体がチューブのみによって形成されている。ただし、硬質の先端チップ等をチューブの先端に取り付けた構成等であってもよい。
【００１５】
可撓性シース１の先端部分内には、クリップ１０が弾性変形した状態で嵌め込まれており、そのクリップ１０を可撓性シース１の手元側からの操作によって可撓性シース１の先端から前方に押し出すための操作ワイヤ２が、軸線方向に進退自在に可撓性シース１内に挿通配置されている。なお、クリップ１０と操作ワイヤ２とは連結されておらず、操作ワイヤ２を後方に引けばクリップ１０と操作ワイヤ２とが離れるようになっている。
【００１６】
操作ワイヤ２は、ステンレス鋼細線を多数撚り合わせた撚り線によって形成されて、その先端にステンレス鋼製の先端チップ２ａが固着されている。ただし、操作ワイヤ２は単線等であってもよく、プラスチック製等であっても差し支えない。また、先端チップ２ａを省略してもよい。
【００１７】
クリップ１０は、嘴状に開閉する先寄りの嘴状開閉部１１とその嘴状開閉部１１の一対の嘴片１１ａどうしを連結する後寄りの連結部１２とが、バネ性のある例えばバネ用ステンレス鋼板やチタン合金材等のような材料により一つながりに形成された構成になっている。
【００１８】
ただし、図２及び図３に示されるように、クリップ１０は、無負荷の単体状態においては、嘴状開閉部１１が閉じきった状態よりさらに開方向と反対方向に行き過ぎた形状に形成されていて、嘴状開閉部１１を窄んだ状態に弾性変形させることにより可撓性シース１の先端部分内に出し入れすることができるようになっている。１１ｂは、嘴片１１ａの先端を折り曲げて形成された先端フック部である。
【００１９】
なお、図３に図示されるように、一対の嘴片１１ａは各々、一定幅に形成されている連結部１２の半分の幅に形成されていて、開閉動作時に互いに交差する際に干渉し合わないように、一方の嘴片１１ａと他方の嘴片１１ａとで連結部１２の幅の反対側を削ぎ落とした形状になっている。
【００２０】
連結部１２は、一対の嘴片１１ａに連なって外方に山形に突出する一対の山形折れ曲がり部１２ａと、その一対の山形折れ曲がり部１２ａを後端において一つながりに連結する円弧状連結部１２ｂとにより形成されており、円弧状連結部１２ｂは可撓性シース１内に緩く納まる大きさに形成され、山形折れ曲がり部１２ａは可撓性シース１内に収容する際に窄める必要のある大きさに形成されている。
【００２１】
このように構成された実施例の内視鏡用クリップ装置は、クリップ１０が可撓性シース１の先端内に嵌め込まれた図１に示される状態で内視鏡の処置具挿通チャンネルに通される。
【００２２】
そして、可撓性シース１の先端を患部に対向する状態に誘導したら、図４に示されるように、操作ワイヤ２を手元側から前方に押し込み操作することにより、クリップ１０が可撓性シース１の先端内から次第に前方に押し出される。
【００２３】
それによって、山形折れ曲がり部１２ａが可撓性シース１内にある間は、可撓性シース１により押さえられて窄んでいた嘴状開閉部１１が自己の弾性によって次第に開くので、患部１００が一対の嘴片１１ａの間に位置する状態になるように可撓性シース１の先端を誘導する。
【００２４】
そして、引き続き操作ワイヤ２を前方に押し込み操作して、図５に示されるように山形折れ曲がり部１２ａが可撓性シース１の外に出た状態になると、クリップ１０が自己の弾性により元の単体の形状に戻ろうとするので、その弾性力により患部１００が一対の先端フック部１１ｂで挟み付けられた状態になる。
【００２５】
そこで、図６に示されるように、可撓性シース１全体を後方に退避させれば、クリップ１０と操作ワイヤ２とは元々連結されていないので、クリップ１０が可撓性シース１の先端から離れて患部１００をクリッピングした状態で体内に留置される。
【００２６】
なお、本発明は上記実施例に限定されるものではなく、クリップ１０の無負荷状態の単体形状は、例えば図７に示されるように、嘴状開閉部１１の嘴片１１ａと連結部１２の山形折れ曲がり部１２ａとが折れ目なく真っ直ぐにつながっているようなものでもよく、図８に示されるように、一対の嘴片１１ａが丁度閉じきった状態の形状のもの等であってもよい。
【００２７】
また、図９における矢視Ｘを図示する図１０に示されるように、連結部１２の円弧状連結部１２ｂが一巻き以上巻かれていてもよく、図１１におけるＸＩＩ−ＸＩＩ断面を図示する図１２に示されるように、連結部１２等の断面形状が平面状ではなく屋根型状であってもよい。また、嘴片１１ａの先端が鋭く尖っていてもよい。
【００２８】
【発明の効果】
本発明によれば、シースの先端部分内に嵌め込まれた状態のクリップを操作ワイヤでシースの先端から前方に押し出すだけで、クリップの嘴状開閉部が窄んだ状態から一旦開いた後に閉じ、クリップと操作ワイヤとが連結された構造にしなくてよいので、簡単な構造により、クリッピング後の操作ワイヤとクリップとの連結状態を極めて簡単な操作で解除することができる。
【図面の簡単な説明】
【図１】本発明の第１の実施例の内視鏡用クリップ装置の先端部分の側面断面図である。
【図２】本発明の第１の実施例のクリップの側面図である。
【図３】本発明の第１の実施例のクリップの斜視図である。
【図４】本発明の第１の実施例の内視鏡用クリップ装置の動作を示す側面断面図である。
【図５】本発明の第１の実施例の内視鏡用クリップ装置の動作を示す側面断面図である。
【図６】本発明の第１の実施例の内視鏡用クリップ装置の動作を示す側面断面図である。
【図７】本発明の第２の実施例のクリップの側面図である。
【図８】本発明の第３の実施例のクリップの側面図である。
【図９】本発明の第４の実施例のクリップの側面図である。
【図１０】本発明の第４の実施例の図９の矢視Ｘによる側面図である。
【図１１】本発明の第５の実施例のクリップの側面図である。
【図１２】本発明の第５の実施例の図１１におけるＸＩＩ−ＸＩＩ断面図である。
【符号の説明】
１  可撓性シース
２  操作ワイヤ
２ａ  先端チップ
１０  クリップ
１１  嘴状開閉部
１１ａ  嘴片
１２  連結部
１２ａ  山形折れ曲がり部
１２ｂ  円弧状連結部
【図１】
2004321343.tif 000003
【図２】
2004321343.tif 000004
【図３】
2004321343.tif 000005
【図４】
2004321343.tif 000006
【図５】
2004321343.tif 000007
【図６】
2004321343.tif 000008
【図７】
2004321343.tif 000009
【図８】
2004321343.tif 000010
【図９】
2004321343.tif 000011
【図１０】
2004321343.tif 000012
【図１１】
2004321343.tif 000013
【図１２】
2004321343.tif 000014